(57)【要約】      （修正有）【課題】１枚の紙であって、紙の厚みが薄くても遮光効果を備え、紙の両面に印刷が可能であり、反対側の印刷面が透けて見えないようにし、紙の両面を用いて広告効果を上げ、通常の紙と同様にインクジェットプリンターやレーザープリンターなどのあらゆるプリンターで印刷を可能とする強靭遮光紙の提供。【解決手段】遮光紙本体１０を、第１の紙材１１と、第２の紙材１２及び第１、第２の紙材１１、１２との間に介装した遮光シート１３とで構成する。遮光シート１３は、フィルム１４の片面あるいは両面にアルミを蒸着させたアルミ蒸着層１５を形成する。遮光シート１３により光の透過を防止し、表面側の印刷部分が裏面側から透けるのを防止する。【選択図】図３
2012077424.tif 000002
【特許請求の範囲】
【請求項１】
第１の紙材（１１）と、第２の紙材（１２）と、前記第１、第２の紙材（１１）（１２）との間に介装させた遮光シート（１３）とで遮光紙本体（１０）を構成していることを特徴とする強靱遮光紙。
【請求項２】
前記遮光シート（１３）は、フィルム（１４）と、このフィルム（１４）の片面または両面にアルミを蒸着させたアルミ蒸着層（１５）とで構成していることを特徴とする請求項１に記載の強靱遮光紙。
【請求項３】
前記第１の紙材（１１）及び第２の紙材（１２）の坪量を、１８ｇ／ｍ2 〜１００ｇ／ｍ2 の範囲とし、前記フィルム（１４）の厚みを１２μｍ〜２５μｍとしていることを特徴とする請求項２に記載の強靱遮光紙。
【発明の詳細な説明】
【技術分野】
【０００１】
本発明は、強度を有し、且つ遮光機能を備えた強靱遮光紙に関するものである。
【背景技術】
【０００２】
自店が販売している商品の宣伝や、店内で販売している飲食物の値段などを窓ガラスに貼って表示しているのは良く見かける光景である。図７はお店の窓ガラス５の内側に例えば、値段を書いた紙５３を貼っている場合を示しており、外からコーヒーなどの値段が分かるようにしている。この場合、雨で紙５３が汚れたり、剥がれたりすることがないように窓ガラス５の内側に貼っている。
【０００３】
一方、お店の中に入った人に広告として紙５３の他方の面に印刷したくても、昼間など外が明るい場合には、図８に示すように、紙５３の文字等が裏面側に逆向きに透けて見えるために、紙５３の裏面（お店の中側）に印刷をしても該印刷面（広告面）と反対側の透けて見えている部分が重なって見えて広告効果を十分に発揮することができない。
自店が販売している商品の宣伝を行なう場合でも、表面に宣伝用の印刷をしても、店内からは表面の文字等が透けて見えるために、やはり、裏面には何も印刷をせずに、白紙の状態となっている。
【０００４】
図９及び図１０は、電車内でよく見られる吊り広告を示しており、取付器具１の一対の挟持片２、３にて両面が広告面となるように２枚の広告用紙５１が挟持されて吊設されている。広告用紙５１は２枚が合わされて吊設されるために裏面は印刷されておらず、表面だけが広告用の写真や文字が印刷されている。
【０００５】
広告用紙５１の下端は開放されて自由端となっているために、車内の温度や湿度により図１０に示すようにカールする場合がある（図１０のＡ部参照）。かかる場合では、吊り広告は下から見るために、広告を全面的に見ることが出来ず、広告効果を損なうことになる。
この広告用紙５１がカールするのを防ぐ方法としては、広告用紙５１の厚みを厚く（坪量を大きく）することで、カールするのをある程度防ぐことができる。
【０００６】
しかしながら、広告用紙５１の坪量を大きくすると、広告用紙５１のコストが高くなるという問題が生じる。また、通常は、２枚の広告用紙５１を重ね合わせて取付器具１の挟持片２、３に挟持させるので、広告用紙５１がずれたりする場合もあり、そのため、重ね合わせた広告用紙５１がずれないように慎重に取付器具１に取り付ける必要があり、取り付けの作業性が悪いという問題もある。
また、広告用紙５１がカールするのを防止したり、裏面側に印刷部分が透けないようにするために広告用紙５１や図７に示す紙５３の厚みを厚くした場合には、一般的なプリンターでは印刷が出来ない場合も生じてくる。
【０００７】
そこで、本発明者たちは、広告用紙５１がカールするのを防止したり、裏面側に印刷内容が透けないようにしたのを既に特許出願している。下記に示す特許文献１がそうである。
【先行技術文献】
【特許文献】
【０００８】
【特許文献１】特願２０１０−１２９６５５
【発明の概要】
【発明が解決しようとする課題】
【０００９】
上記特許文献１では、紙を二つ折りして間に空間部を形成することで、紙がカールするのを防止したり、表面に印刷した部分が裏面側に透けて見えないようにしている。しかしながら、紙が立体的になって取り扱いが不便となったり、また、上下に異なった向きで印刷をする必要があり、印刷がしにくいという問題があった。さらには、１枚の紙の両面に印刷が出来ず、紙を有効に使用できない。
【００１０】
本発明は上述の問題点に鑑みて提供したものであって、少なくとも以下の目的を持った強靱遮光紙を提供するものである。
（１）１枚の紙であって、紙の厚みが薄くても遮光効果を備えていること。
（２）紙の両面に印刷が可能であり、反対側の印刷面が透けて見えないようにし、紙の両面を用いて広告効果を上げること。
（３）通常の紙と同様にインクジェットプリンターやレーザープリンターなどのあらゆるプリンターで印刷が可能とすること。
（４）通常の紙と同様に成型性、折り曲げ適正があること。
【課題を解決するための手段】
【００１１】
そこで、本発明の請求項１に記載の強靱遮光紙では、第１の紙材１１と、第２の紙材１２と、前記第１、第２の紙材１１、１２との間に介装させた遮光シート１３とで遮光紙本体１０を構成していることを特徴としている。
【００１２】
請求項２に記載の強靱遮光紙では、前記遮光シート１３は、フィルム１４と、このフィルム１４の片面または両面にアルミを蒸着させたアルミ蒸着層１５とで構成していることを特徴としている。
【００１３】
請求項３に記載の強靱遮光紙では、前記第１の紙材１１及び第２の紙材１２の坪量を、１８ｇ／ｍ2 〜１００ｇ／ｍ2 の範囲とし、前記フィルム１４の厚みを１２μｍ〜２５μｍとしていることを特徴としている。
【発明の効果】
【００１４】
本発明の請求項１に記載の強靱遮光紙によれば、第１の紙材１１と、第２の紙材１２と、前記第１、第２の紙材１１、１２との間に介装させた遮光シート１３とで遮光紙本体１０を構成しているものであり、前記遮光シート１３により、光の透過を防止することができ、遮光紙本体１０の表面に印刷しても裏面側からは印刷部分が透けて見えることはない。また、遮光紙本体１０の両面に広告等を印刷することができ、しかも、インクジェットプリンターやレーザープリンターなどのあらゆるプリンターにて印刷できるので、印刷費用を抑えることができる。すなわち、遮光紙本体１０を１枚の紙として、紙の厚みが薄くても遮光効果を有しているものである。
また、遮光紙本体１０を、第１の紙材１１、遮光シート１３及び第２の紙材１２の３層構造としているので、強度を維持することができ、容易には破けにくい構造となっている。さらには、本遮光紙本体１０を吊り広告に用いても３層構造としているので、温度、湿度に対しても従来のようにカールすることがなく、広告効果を一層向上させることができる。また、１枚の遮光紙本体１０の両面に広告を印刷しても裏面側から透けることもなく、吊り広告に用いた場合には、広告効果を一層上げることができる。しかも、遮光紙本体１０を１枚だけのため、取付器具１への装着も容易であり、取り付け作業性を向上させることができる。
【００１５】
請求項２に記載の強靱遮光紙によれば、前記遮光シート１３は、フィルム１４と、このフィルム１４の片面または両面にアルミを蒸着させたアルミ蒸着層１５とで構成しているので、１層のみアルミ蒸着層１５を設けた遮光シート１３の場合でもアルミ蒸着層１５により光の透過を防止することができ、遮光紙本体１０の表面に印刷しても裏面側からは印刷部分が透けて見えることはない。また、２層のアルミ蒸着層１５を設けた遮光シート１３を介装させた遮光紙本体１０では、光を完全に遮光することができ、印刷面が裏面側から透けて見えることは全くない。そのため、本発明の遮光紙本体１０においては、両面に広告等を印刷することができ、しかも、一般的なプリンターにて印刷できるので、印刷費用を抑えることができる。
【００１６】
請求項３に記載の強靱遮光紙によれば、前記第１の紙材１１及び第２の紙材１２の坪量を、１８ｇ／ｍ2 〜１００ｇ／ｍ2 の範囲とし、前記フィルム１４の厚みを１２μｍ〜２５μｍとしているので、遮光紙本体１０は通常の紙と同様に成型性、折り曲げ適正を有している。
【図面の簡単な説明】
【００１７】
【図１】本発明の実施の形態における遮光紙本体の平面図である。
【図２】本発明の実施の形態における遮光紙本体の分解拡大断面図である。
【図３】本発明の実施の形態における遮光シートの他の例を示す遮光紙本体の分解拡大断面図である。
【図４】本発明の実施の形態における遮光紙本体の折り曲げ性を示す平面図である。
【図５】本発明の実施の形態における遮光紙本体を窓ガラスに貼った状態を示す図である。
【図６】本発明の実施の形態における遮光紙本体を吊り広告に用いた場合を示す図である。
【図７】従来例の紙を窓ガラスに貼っている状態を示す図である。
【図８】従来例の紙を窓ガラスに貼った場合の問題点を示す説明図である。
【図９】従来例の広告用紙を用いた吊り広告を示す図である。
【図１０】従来例の広告用紙を用いた吊り広告における問題点を示す説明図である。
【発明を実施するための形態】
【００１８】
以下、本発明の実施の形態を図面を参照して詳細に説明する。図１は本発明の遮光紙本体１０の平面図を示し、図２はこの遮光紙本体１０の分解拡大断面図を示している。そして、この遮光紙本体１０は、第１の紙材１１と、第２の紙材１２と、この第１、第２の紙材１１、１２の間に介装される遮光シート１３とで構成されている。
そして、上記遮光シート１３は、フィルム１４と、このフィルム１４のどちらかの面にアルミを蒸着させたアルミ蒸着層１５とで構成されている。
【００１９】
図３は遮光シート１３の他の実施形態を示し、この実施形態ではフィルム１４の両面にアルミをそれぞれ蒸着させて、該フィルム１４の両面にそれぞれアルミ蒸着層１５、１５を形成したものである。
【００２０】
上記第１の紙材１１及び第２の紙材１２の材料として一般的な紙材であれば良く、坪量としては、１８ｇ／ｍ2 〜１００ｇ／ｍ2 である。また、フィルム１４のフィルムの厚みとしては、１２μｍ〜２５μｍのものを用いている。
【００２１】
第１の紙材１１及び第２の紙材１２の坪量が１８ｇ／ｍ2 以下では強度が不足し、また１０１ｇ／ｍ2 以上では厚みが厚くなりすぎてプリンターで印刷ができない恐れがある。そのため、坪量は１８ｇ／ｍ2 〜１００ｇ／ｍ2 の範囲が好適例である。
また、フィルム１４の厚みを１２μｍ以下の場合では、強靱性が劣り、また２６μｍ以上では経済的効果が乏しい。
【００２２】
１層のアルミ蒸着層１５もしくはフィルム１４の両面にアルミ蒸着層１５を設けた遮光シート１３の両面に第１の紙材１１及び第２の紙材１２を貼合して遮光紙本体１０を形成するので、第１の紙材１１及び第２の紙材１２の坪量としては、遮光紙本体１０が一般的なプリンターにて印刷可能は厚みとしている。
【００２３】
第１の紙材１１、遮光シート１３及び第２の紙材１２とを貼合する方法としては、例えば水性ラミネート法、ドライラミネート法があり、もちろん貼合が可能であれば他の方法でも良い。
【００２４】
遮光紙本体１０の両面の第１の紙材１１、第２の紙材１２は通常の紙材なので、一般に市販されているインクジェットプリンターや、レーザープリンターなどのあらゆるプリンターにて印刷（モノクロ、カラー）が可能であり、小さな飲食店や事務所などにおいても任意のポスターなどを両面に簡単に印刷することができる。
また、第１の紙材１１及び第２の紙材１２は一般的な紙材なので、遮光紙本体１０を製造するに際しては、巻取原紙さえ調達することで、どのような原紙でも遮光紙本体１０の製造が可能であり、しかも、低コストに製造することができる。
【００２５】
遮光紙本体１０の大きさは任意に形成できるものであり、１層のみアルミ蒸着層１５を設けた遮光シート１３の場合でもアルミ蒸着層１５により光の透過を防止することができ、遮光紙本体１０の表面に印刷しても裏面側からは印刷部分が透けて見えることはない。また、２層のアルミ蒸着層１５を設けた遮光シート１３を介装させた遮光紙本体１０では、光を完全に遮光することができ、印刷面が裏面側から透けて見えることは全くない。
そのため、本発明の遮光紙本体１０においては、両面に広告等を印刷することができ、しかも、一般的なプリンターにて印刷できるので、印刷費用を抑えることができる。
【００２６】
また、第１の紙材１１及び第２の紙材１２の厚みを薄くしても、フィルム１４の片面あるいは両面にアルミ蒸着層１５を設けた遮光シート１３を介装させた３層構造としているので、強度を維持することができ、容易には破けにくい構造となっている。
【００２７】
さらに、遮光紙本体１０を、第１の紙材１１、遮光シート１３及び第２の紙材１２の３層構造としているにも関わらず、第１の紙材１１、第２の紙材１２の坪量や遮光シート１３のフィルム１４の厚みを上述した範囲としていることで、図４に示すように、遮光紙本体１０を通常の用紙のように容易に折り曲げることができる。これにより成型性構造を備えているものである。
【００２８】
上述のように、本遮光紙本体１０は遮光性を備えているので、図７に示すように表面に値段を書いて窓ガラス５に貼った場合でも、図５に示すように、遮光紙本体１０の裏面には異なる文章、写真等を印刷しても表面の文字等が透けて見えることはなく、表面と裏面に印刷をした遮光紙本体１０を有効に使用することができて、広告効果を上げることができる。また、遮光紙本体１０の両面を有効に使用できるので、費用を抑えることができる。
【００２９】
また、本遮光紙本体１０を図６に示すように吊り広告に用いても、該遮光紙本体１０は第１の紙材１１、遮光シート１３及び第２の紙材１２の３層構造としているので、温度、湿度に対しても従来のようにカールすることがなく、吊り広告に用いた場合には、広告効果を一層上げることができる。
また、１枚の遮光紙本体１０の両面に広告を印刷しても裏面側から透けることもなく、吊り広告に用いた場合には、広告効果を一層上げることができる。しかも、遮光紙本体１０を１枚だけのため、取付器具１への装着も容易であり、取り付け作業性を向上させることができる。
【００３０】
本実施形態における遮光紙本体１０の用途としては、上述したように広告用の用紙の他に、ポスター、重要書類、地図、壁紙が好適例である。
【符号の説明】
【００３１】
１０  遮光紙本体
１１  第１の紙材
１２  第２の紙材
１３  遮光シート
１４  フィルム
１５  アルミ蒸着層
【図１】
2012077424.tif 000003
【図２】
2012077424.tif 000004
【図３】
2012077424.tif 000005
【図４】
2012077424.tif 000006
【図５】
2012077424.tif 000007
【図６】
2012077424.tif 000008
【図７】
2012077424.tif 000009
【図８】
2012077424.tif 000010
【図９】
2012077424.tif 000011
【図１０】
2012077424.tif 000012